(57)【特許請求の範囲】
【請求項１】
電子銃からＺ軸方向の下方に射出される電子ビームを収束するための磁界型の電子レンズであって、
リング型で、中心軸が電子レンズの中心軸に一致し、Ｚ軸方向に着磁された永久磁石リング（１０１）と、
中空円筒型で、外径が前記永久磁石リング（１０１）の内径より小さく、前記永久磁石リング（１０１）の上部より上方に向けて伸びる第１強磁性体（１０３）と、
ドーナツ型で、前記永久磁石リング（１０１）の下面に隣接配置され、前記永久磁石リング（１０１）の内周よりも中心側まで伸びる第２強磁性体（１０４）と、
ドーナツ型で、前記第１強磁性体の上部において外方に伸びる第３強磁性体（１０５）と、
放射方向において前記第１強磁性体（１０３）の外側であって、Ｚ軸方向において前記第３強磁性体（１０５）と前記永久磁石リング（１０１）の間の空間に収容される補正電磁コイル（１１２）と、
中空円筒型で、前記永久磁石リング（１０１）、前記第１、第２、第３強磁性体（１０３，１０４，１０５）および補正電磁コイル（１１２）を内側に収容し、これらを外部磁界から隔離する第４強磁性体と、
を有し、
前記第１強磁性体と、前記第２強磁性体は、前記永久磁石リング（１０１）の内周面を露出させて第１ギャップを介しＺ軸方向において対向し、
前記第２強磁性体（１０４）の外周面と、前記第４強磁性体（１０２）の内周面は第２ギャップ（１０７）を介し放射方向において対向し、
前記第３強磁性体（１０５）の外周面と、前記第４強磁性体（１０２）の内周面は第３ギャップ（１０８）を介し放射方向において対向し、
前記ギャップ（１０８）の内に該ギャップ（１０８）より厚みが薄い強磁性体ギャップ調整用リング（１１４）を設置するか、
または、前記ギャップ（１０７）の内に該ギャップ（１０７）より厚みが薄い強磁性体ギャップ調整用リング（１１５）を設置するか、
または、前記強磁性体ギャップ調整用リング（１１４）および前記強磁性体ギャップ調整用リング（１１５）の両者を設置し、
前記強磁性体ギャップ調整用リング（１１４）および前記強磁性体ギャップ調整用リング（１１５）の少なくとも１つの厚みに応じて、中心軸のレンズ磁界（１１１）の強度の微調整を行う、
電子レンズ。
【請求項２】
請求項１に記載の電子レンズを、
前記Ｚ軸方向と直交するＸ軸方向とＹ軸方向のそれぞれの方向に、Ｘ軸方向にはピッチＰｘで等間隔に複数個配列し、Ｙ軸方向にはピッチＰｙで等間隔に複数個配列したマルチコラム電子ビーム装置。
【発明の詳細な説明】
【技術分野】
【０００１】
本発明は、半導体の描画装置などに用いる永久磁石を用いた電子レンズおよびこれを用いたマルチコラム電子ビーム装置に関する。
【背景技術】
【０００２】
今般、２つの理由から電子ビーム描画装置を半導体基板の直接描画する装置として使用したいとの要望が強まっている。１つ目の理由は、マスクに関することである。光露光で使用するマスクのコストが高騰しており、約３０枚使用するマスクが１セットで５億円以上することと、多くの種類の半導体製品を工場で処理する場合にマスク管理のコストが膨大になることである。このためにマスクレスで半導体ウェハを直接描画処理できる技術として電子ビーム描画技術が要望されている。２つ目の理由は、マスクを使用しないことで、１６ｎｍ以下の微細化にも使用できることである。
【０００３】
電子ビーム描画技術の大きな課題は描画速度の遅さである。通常１本のコラム（電子光学鏡筒とも呼ぶ）では、３００ｍｍφウェハ１枚の描画に１０時間以上かかる。そこで、１本のコラムの中に１０００本以上のビームを形成して描画速度を上げる方法が提案されている。しかし、この方法では、ビーム同士の間隔が狭い。１から２ｍｍ程度の空間に、１μＡ以上の電流値の電子ビームを照射すると、クーロン斥力によるビームボケが起こるために、電子ビームの電流値を大きくすることができない。そこで、コラムが１本のみの電子ビーム描画装置では、処理能力が圧倒的に不足していた。少なくとも１時間に１０枚以上の半導体ウェハを描画処理する処理能力を有するためには、５０ｋＶで９０μＡ以上の電流値が必要である。通常ビームボケは電流値と比例するので、もし９０μＡの電流値を１本のコラムで実現しようとすると、１．５μｍのボケが出て、微細パターンを描画することはできない。
【０００４】
このような課題を解決するためには、直径３０ｍｍ以下のコラムを３００ｍｍφウェハ上に約９０本並べることが、考えられる。各コラムはそれぞれがアース電位の金属筒で隔離されているので、あるコラムの電子ビームが隣接するコラムの電子ビームと相互作用することはない。１コラムで１μＡで９０本で９０μＡの電流値が同時に描画処理に使用できる。それゆえに描画速度は、必要とされる１時間１０枚（３００ｍｍφウェハ）に達する。そして、ビームボケは１６ｎｍのパターン描画にも使用できる程度で大きくはない。
【０００５】
３００ｍｍφウェハ上に９０本のコラムを設置するためには、１本のコラムが直径で３０ｍｍ以下でなくてはならない。正確には２７ｍｍ以下が必要である。このように細いコラムであるだけでなく、クーロン効果を低減するためには、ビームの進行方向の距離すなわちＺ軸方向の距離Ｌが短いことが必要である。なぜならばコラムが長いとクーロン効果によるビームボケがコラムの長さに正比例して、大きくなるためである。従って、短いコラム、５段レンズで約４０ｃｍ程度の長さのコラムを形成する必要がある。そのためには、５０ｋＶの電子ビームの場合には、焦点距離が１０ｍｍ以下の強度の強磁界を形成できる電子レンズが必須となる。
【０００６】
このような電子レンズを構成するためにはＺ軸方向に約５ｍｍの半値幅とピーク磁界強度が３０００から５０００ガウスの磁界を実現する電子レンズを構成する必要がある。このような強磁界を製作する方法は４つある。
【０００７】
１つ目は常伝導の電流による磁界形成である。しかし、３０００ガウスもの磁界を得るためには、数千ターンの巻線が必要であるので、とても直径３０ｍｍの磁界レンズを構成することはできない。通常は、半径５０ｍｍ以上、直径１００ｍｍ以上の太さのレンズになる。そのために１つ目の方法は採用できない。
【０００８】
２つの目の方法は超伝導コイルを用いるものである。超伝導であれば、大電流を流し４００００ガウスから１０００００ガウスの磁界が得られる。しかし、現在のところ常温で超電導にする方法は見つかっていない。そこで、液体窒素７７Ｋ度以下の極低温が必要であるが、電子光学鏡筒を極低温の液体窒素や液体ヘリウムで冷却すれば、温度勾配が大きくなるので、半導体ウェハが冷却されて、温度膨張係数によって、微細パターンを１０ｎｍ以下の精度で配置することが困難になる。なぜなら半導体ウェハの搭載されたステージと、電子光学鏡筒の全体は常温であるから、電子レンズの電流が流れる部分だけ７７Ｋ度以下の極低温にすることは非常に困難なことである。
【０００９】
３つ目の方法は、９０本のレンズ全体の外周に大きな電流を流す共通コイルを設置して、個々のレンズに微小な電流を流せるようにすることであるが、この場合には個々の電子レンズの磁界の軸対称性を確保することが容易でない。この方法では、十分な軸対称なレンズが構成できず、電子ビーム描画装置を製作できない。
【００１０】
４番目の方法は、主たる強磁界発生源として、永久磁石を使用することである。永久磁石は、現状でサマリウムコバルトとネオジムが磁界強度が最も高い磁性体である。サマリウムコバルトは欠けやすくもろいので、電子ビーム描画装置用レンズの仕様に不適である。ネオジムは硬く、破壊しにくいので好適である。リング状の形状で中心軸をＺ軸とした場合にＺ軸方向に着磁し、Ｚ軸上で４０００ガウスの強磁界を得る。
【００１１】
しかし、永久磁石をレンズに使用しようとした場合には、以下の課題がある。第１に円柱リング型の永久磁石の軸周辺の磁界に若干の不均一性があり、磁界レンズを構成する場合に完全な軸対称レンズから外れた不完全なレンズになることがある。第２に永久磁石の着磁が所定の値から外れた場合には、必ず焦点距離を微調整する必要がある。第３にもっとも効率的に微細な外径を有する、強度の強いレンズである必要がある。
【００１２】
この様な、諸条件を満足するように永久磁石を用いたレンズを実現できれば、電子ビーム描画装置による微細パターンの描画を実用的なスピードで行うことが可能になる。
【００１３】
特許文献１には、永久磁石を用いた電子レンズが示されている。図１に示すように、リング形状の永久磁石１が強磁性体（２，３）と強磁性体（４）によって囲まれていて、ポールピースギャップ（１００）で、磁界を電子ビームに作用させて収束する。
【００１４】
しかし、このレンズでは、
１）内径約５ｍｍの電子レンズの外直径が３０ｍｍ以下に小さくならない、
２）中心軸上に３０００ガウス程の大きな磁界ができない、
という重大な欠点があって、上述のような課題を解決することができない。
【先行技術文献】
【特許文献】
【００１５】
【特許文献１】特開２００７−３１１１１７号公報
【発明の概要】
【発明が解決しようとする課題】
【００１６】
従って、以下の諸項目を同時に満足できる永久磁石を用いた電子レンズが望まれる。
１）永久磁石内径約５ｍｍで、外径が３０ｍｍ以下の電子レンズを構成する。
２）永久磁石内部に常伝導の磁界補正用コイルを具備して、焦点距離を精密に微調整できるようにする。
３）軸上磁界として、軸対称性の均一な、かつ３０００から５０００ガウスの強磁界を発生できるようにする。
【課題を解決するための手段】
【００１７】
本発明に係る電子レンズは、図２に示すように、
電子銃からＺ軸方向の下方に射出される電子ビームを収束するための磁界型の電子レンズであって、
リング型で、中心軸が電子レンズの中心軸に一致し、Ｚ軸方向に着磁された永久磁石リング（１０１）と、
中空円筒型で、外径が前記永久磁石リング（１０１）の内径より小さく、前記永久磁石リング（１０１）の上部より上方に向けて伸びる第１強磁性体（１０３）と、
ドーナツ型で、前記永久磁石リング（１０１）の下面に隣接配置され、前記永久磁石リング（１０１）の内周よりも中心側まで伸びる第２強磁性体（１０４）と、
ドーナツ型で、前記第１強磁性体の上部において外方に伸びる第３強磁性体（１０５）と、
放射方向において前記第１強磁性体（１０３）の外側であって、Ｚ軸方向において前記第３強磁性体（１０５）と前記永久磁石リング（１０１）の間の空間に収容される補正電磁コイル（１１２）と、
中空円筒型で、前記永久磁石リング（１０１）、前記第１、第２、第３強磁性体（１０３，１０４，１０５）および補正電磁コイル（１１２）を内側に収容し、これらを外部磁界から隔離する第４強磁性体と、
を有し、
前記第１強磁性体と、前記第２強磁性体は、前記永久磁石リング（１０１）の内周面を露出させて第１ギャップを介しＺ軸方向において対向し、
前記第２強磁性体（１０４）の外周面と、前記第４強磁性体（１０２）の内周面は第２ギャップ（１０７）を介し放射方向において対向し、
前記第３強磁性体（１０５）の外周面と、前記第４強磁性体（１０２）の内周面は第３ギャップ（１０８）を介し放射方向において対向する。
【００１８】
そして、
前記ギャップ（１０８）の内に該ギャップ（１０８）より厚みが薄い強磁性体ギャップ調整用リング（１１４）を設置するか、
または、前記ギャップ（１０７）の内に該ギャップ（１０７）より厚みが薄い強磁性体ギャップ調整用リング（１１５）を設置するか、
または、前記強磁性体ギャップ調整用リング（１１４）および前記強磁性体ギャップ調整用リング（１１５）の両者を設置し、
前記強磁性体ギャップ調整用リング（１１４）および前記強磁性体ギャップ調整用リング（１１５）の少なくとも１つの厚みに応じて、中心軸のレンズ磁界（１１１）の強度の微調整を行う。
【００１９】
また、本発明のマルチコラム電子ビーム装置では、
前記Ｚ軸方向と直交するＸ軸方向とＹ軸方向のそれぞれの方向に、Ｘ軸方向にはピッチＰｘで等間隔に複数個配列し、Ｙ軸方向にはピッチＰｙで等間隔に複数個配列した。
【発明の効果】
【００２０】
本発明によれば、電子ビームを低収差で収束でき、高速のマスクレス描画装置を得ることができる。
【図面の簡単な説明】
【００２１】
【図１】従来の永久磁石レンズを示す図である。
【図２】実施形態に係る電子レンズの構成を示す図である。
【図３】実施形態に係る電子レンズを用いた光学鏡筒全体とマルチコラムシステムの構成を示す図である。
【図４】実施形態に係る電子レンズを用いたマルチコラムシステムの構成を示す図である。
【図５】実施形態に係る電子レンズを用いたマルチビームシステムの構成を示す図である。
【発明を実施するための形態】
【００２２】
以下、本発明の実施形態について、図面に基づいて説明する。なお、本発明は、ここに記載される実施形態に限定されるものではない。
【００２３】
＜システム全体構成＞
図２は、実施形態に係る電子レンズの構成を示す図である。電子銃から出射された電子ビーム（１１０）が電子レンズに入射する。電子ビームが進む方向をＺ軸方向とする。電子ビームを収束する主たるレンズ磁界を発生するものは、永久磁石リング（１０１）である。永久磁石リング（１０１）は、Ｚ軸方向の円筒リング形状を有し、Ｚ軸方向に着磁した永久磁石リング（１０１）の中心軸を、電子レンズ全体の中心軸（電子ビーム（１１０）の軸と重なる）と一致して設置する。永久磁石リング（１０１）の内径は、１０ｍｍから１６ｍｍ、外径は１４ｍｍから２０ｍｍであって、径方向の肉厚は２ｍｍから８ｍｍ、またＺ軸方向の長さは３ｍｍから８ｍｍである。また、永久磁石リング（１０１）は、Ｚ軸方向に着磁してあるので、Ｚ軸方向の一端側がＮ極、他端側がＳ極となり、Ｚ軸方向の磁界が形成される。材質は、ネオジムが好適であるが、サマリウムコバルトでもよい。
【００２４】
電子レンズのレンズ作用は電子ビーム（１１０）の図における下方部分の強磁性体ギャップ（１０６）付近にできる軸対称強磁界によってもたらされる。そのために、永久磁石リング（１０１）の内径よりも小さな外径を有する第１強磁性体である強磁性体円筒（１０３）と、微細な長さの円筒部を有するかもしくは円筒部の無い第２強磁性体である、強磁性体円板（１０４）をＺ軸方向において対向して設置し、強磁性体円筒（１０３）と、強磁性体円板（１０４）との間に第１ギャップ（１０６）を永久磁石リング（１０１）の中心側に形成する。
【００２５】
この場合に、強磁性体円筒（１０３）の厚みは１ｍｍから５ｍｍで、長さは１０ｍｍから６０ｍｍが好適である。なお、長さは、さらに長くてもよい。強磁性体材料は純鉄もしくは炭素が混入した鉄またはニッケルまたはコバルトまたはそれらの化合物であってもよい。強磁性体材料は、特にこだわらない限りこれらの材料を用いる。これらの強磁性体材料の比透磁率は約１０００程度である。
【００２６】
第２強磁性体の円板（１０４）は厚みは１ｍｍから５ｍｍであって、Ｚ軸方向の電子ビーム進行方向に向かって、０．２ｍｍから３ｍｍの円筒部（永久磁石リング（１０１）の内周面の内側に位置する円筒部）を有していてもよい。そして、第１ギャップ（１０６）の長さは、永久磁石リング（１０１）の長さよりも小さく、１ｍｍから５ｍｍであって、永久磁石リング（１０１）の内面の一部が、強磁性体円筒（１０３）または強磁性体円板（１０４）で、中心軸に向いて遮蔽されている。これは、永久磁石リング（１０１）によってできる、電子ビーム（１１０）の軸付近の磁界の軸対称性が不均一であっても、強磁性体円筒（１０３）または強磁性体円板（１０４）の存在によって軸対称磁界の均一性を向上することができるからである。この効果によって、中心軸から１ｍｍの位置で回転非対称性が４％であったものを１％以下にすることができる。
【００２７】
また、第３強磁性体である強磁性体円板（１０５）が強磁性体円筒（１０３）の上端部から放射方向にフランジ状に伸びて形成されている。強磁性体円板（１０５）の外周は、強磁性体円筒（１０２）の内壁にギャップ（１０８）を介し対向している。
【００２８】
第４強磁性体である強磁性体円筒（１０２）は、永久磁石リング（１０１）、強磁性体円筒（１０３）、強磁性体円板（１０４）、（１０５）を内部に収容する。この強磁性体円筒（１０２）は、一つの電子レンズを隣接する別の電子レンズの磁界から隔離するレンズ外壁としての役割を果たしている。永久磁石リング（１０１）のＺ軸方向の上面からでた磁力線の一部は、強磁性体円筒（１０３）を通り、強磁性体円板（１０５）を通り、ギャップ（１０８）で強磁性体から一旦出てから再度強磁性体円筒（１０２）に入り、Ｚ軸方向を下向きに走り、再度ギャップ（１０７）で強磁性体から出て、強磁性体円板（１０４）に入り、中心軸方向に向かい、永久磁石リング（１０１）の下面に戻る。このことによって、強磁性体円筒（１０２）から外部には磁力線は出ていかない。このようにして、一つの電子レンズを隣接する別のレンズの磁界から隔離するということが可能となる。
【００２９】
永久磁石リング（１０１）のＺ軸方向の上面からでた中心軸側の磁力線（レンズ磁界）（１１１）は、強磁性体円筒（１０３）のＺ軸方向下端を通過してギャップ（１０６）に出て、真空内で中心軸についてほぼ軸対称に中心軸付近まで覆うように膨れる。このレンズ磁界（１１１）によって、電子ビーム（１１０）は収束作用を受ける。
【００３０】
永久磁石リング（１０１）から出た磁力線は、外側を通る強磁性体の磁気回路I、すなわち強磁性体円筒（１０３）、強磁性体円板（１０５）、ギャップ（１０８）、強磁性体円筒（１０２）、ギャップ（１０７）、強磁性体円板（１０４）と、内側を通る強磁性体の磁気回路II、すなわち強磁性体円筒（１０３）、ギャップ（１０６）、強磁性体円板（１０４）の２つの磁気回路を通って、永久磁石リング（１０１）に戻る。
【００３１】
磁界強度の補正用電流を流す補正電磁コイル（１１２）が、磁気回路Iの一部、すなわち強磁性体円筒（１０３）、強磁性体円板（１０５）、ギャップ（１０８）、強磁性体円筒（１０２）と永久磁石リング（１０１）に囲まれた空間内部に設置される。この補正電磁コイル（１１２）は、永久磁石のみで電子レンズを使用した場合に焦点距離が所定の値に一致するとは限らず、わずかに目標値とずれることがあるのを、微小量の磁界を加算重畳して、中心軸のレンズ磁界（１１１）の強度を調整するために設置する。
【００３２】
従って、永久磁石が無い場合に、電磁コイルのみで電子レンズを構成しようとすると１０００アンペアターン必要である磁界レンズであっても、補正電磁コイル（１１２）は最大４％以下のアンペアターンすなわち、４０アンペアターンで事足りる。このことによって、電磁コイルのみで電子レンズを構成した場合には、１つのレンズで１００ワットの電力、すなわち発熱量が必要な場合にも、電力は流す電流の二乗に比例するために、補正電磁コイル（１１２）の電力は０．１６％すなわち０．１６ワットの発熱量で事足りる。永久磁石リング（１０１）では、３０００から５０００ガウスの強度の磁界が発生でき、５０ｋＶの電子ビームに対して、５ｍｍの短焦点の電子レンズができる。
【００３３】
また、永久磁石は全く発熱をしない。電力消費により発熱するのは、補正用コイル（１１２）のみであるために、１つのレンズあたり０．１６ワットで済む。５段のレンズを全部同じ構造で作って、１００本のレンズをならべても、全体のマルチコラムシステムでは、８０Ｗの発熱量で済むために、低消費電力のコラムが実現できる。永久磁石を使用しない時には、同じシステムが最高５０キロワットである。５段レンズの内１段のレンズのみでよいとしても５キロワットであって、熱的安定性を確保することは困難である。
【００３４】
磁気回路ＩＩには、ギャップ（１０６）が１か所あるのみであり、このギャップにレンズ磁界（１１１）が発生する。補正電磁コイル（１１２）は、強磁性体円筒（１０３）を取り囲むように配置されており、この補正電磁コイル（１１２）による補正磁界は、強磁性体円筒（１０３）からギャップ(１０６)を介し強磁性体円板（１０４）に至る。従って、補正電磁コイル（１１２）による補正磁界は、永久磁石リング（１０１）による磁界に全く重畳される。このために、永久磁石リング（１０１）によるレンズ磁界の中心軸と補正電磁コイル（１１２）による補正磁界の中心軸の食い違いがないので、両者を用いた電子レンズとしての機能が保持される。
【００３５】
また、本実施形態では、磁気回路Iにおいて、ギャップ（１０６）とギャップ（１０７）を有している。これらの２つのギャップ（１０６）、（１０７）は、補正電磁コイル（１１２）と永久磁石リング（１０１）を囲む磁気回路Iの中にあって、強磁性体円筒（１０２）と強磁性体円板（１０５）、（１０４）の間に有限の間隔を設定して強磁性体回路を切断する。ギャップ（１０６）、（１０７）は、それぞれ０．５ｍｍから４ｍｍまでの適切な値である。この２つのギャップ（１０６）、（１０７）の片方、または両方がないと、永久磁石リング（１０１）による磁界がレンズ磁界として効果を発揮せず、中心軸付近の磁界強度が弱くなり、レンズ効果を最大化することができない。例えば、ギャップ（１０６）、（１０７）が片方でもない場合には、永久磁石リング（１０１）の磁界は、磁気回路IIに流れる磁力線が激減し、磁気回路Iに流れる磁力線が増加するので、レンズ磁界（１１１）が激減するために、レンズ強度を著しく弱める。また、これらのギャップが大きすぎてもレンズ磁界が小さくなる。そのために、ギャップ（１０６）、（１０７）には、中心軸のレンズ磁界（１１１）の最大値を形成するための最適値がある。すなわちギャップ（１０６）、（１０７）は小さすぎても大きすぎても、中心軸のレンズ磁界（１１１）が最大値にならない。
【００３６】
このことを利用して、中心軸のレンズ磁界（１１１）の微調整ができる。図２のギャップ（１０８）の最外周にギャップより厚みが薄い強磁性体ギャップ調整用リング（１１４）を設置すれば、強磁性体ギャップ調整用リング（１１４）の厚みを変更することによって、中心軸のレンズ磁界（１１１）の微調整ができる。この微調整はコイルによる繊細さには及ばないがレンズ磁界が目標値から、例えば１％外れた場合に厚みの適切な強磁性体ギャップ調整リング（１１４）を選べば、必要最小限のコイル磁界調整の範囲０．０２％まで、磁界強度を選択調整できる。同様に図２のギャップ（１０７）の最外周にギャップより厚みが強磁性体ギャップ調整用リング（１１５）を設置すれば、強磁性体ギャップ調整用リング（１１５）の厚みを変更することによって、中心軸のレンズ磁界（１１１）の微調整ができる。なお、強磁性体ギャップ調整用リング（１１４）は強磁性体円筒（１０２）に近接したが、強磁性体円板（１０４）に近接させてもよい。また、強磁性体ギャップ調整用リング（１１５）は、強磁性体円筒（１０２）に近接したが、強磁性体円板（１０４）に近接させてもよい。強磁性体ギャップ調整用リング（１１４）（１１５）は、両方を設置してもよいし、一方のみでもよい。
【００３７】
永久磁石リング（１０）では、中心軸方向の磁界値をＺ軸のプラス無限遠からマイナス無限遠まで積分すると、積分値は０となる。磁界の積分値とはビームの回転度数と比例するので、永久磁石リングによるビームの中心軸周りの回転角度は０となる。これに対して補正電磁コイル（１１２）の中心軸方向の磁界値をＺ軸のプラス無限遠からマイナス無限遠まで積分すると、積分値は０とならない。この場合は、ビームの中心軸周りの回転角度は０とならない。そのために電子レンズの焦点を補正するために、補正電磁コイル（１１２）に電流を流して磁界強度を補正するとビームの回転角が変わる。
【００３８】
初歩的な描画装置ではビームが１本の丸ビームであるので、電子レンズの回転は大きな意味を持たない。しかし、１本のコラムの中に１０００本のマルチビームがある場合には、マルチビームの配列の方向がＺ軸に直交するＸ軸とＹ軸に合わせられるべきである。その際に、永久磁石リング（１０１）および、補正電磁コイル（１１２）による磁界によるビームの回転によって、所定の回転角度に合っていない場合には、マルチビームを形成する描画装置を機械的に回転させて、ウェハ（１０９）像面でのビームの回転方向を合せる。
【００３９】
さらに、補正電磁コイル（１１２）ではその電流量を調整し、補正磁界の強度を調整して焦点補正を行うが、この時回転も調整したいという希望があれば、２段以上の同型のレンズが必要となる。２段レンズでは、補正電磁コイルが２つあるので、焦点と回転を同時に合わせることができる。縮小率も合わせる必要がある場合には、３段レンズを用いて、３個の補正電磁コイルを調整して、焦点距離と、縮小率と回転を同時に合わせる。
【００４０】
２個のレンズで縮小率と、回転と、焦点距離を合せるためには、例えば図２の強磁性体円筒（１０３）の上部の内側に、補正電磁コイル（１１２）の他に別の回転補正用の電磁コイル（１１３）を設置して、回転補正をする必要がある。もちろん、回転補正用の電磁コイル（１１３）は、他の段のレンズ内部に組み込んでもよい。
【００４１】
単純に回転効率を上げて、焦点距離や縮小率に影響を与えないためには、最終レンズの上の段のレンズの強磁性体円筒（１０３）の内側に別の回転補正用の電磁コイル（１１３）を設置するのが最も好適である。
【００４２】
なお、強磁性体円筒（１０２）と永久磁石リング（１０１）および補正電磁コイル（１１２）との間、ギャップ（１０７）、（１０８）には、非磁性体を配置し、強磁性体円筒（１０２）にその内部の部材を固定することが好適である。
【００４３】
図３を用いて、本発明の永久磁石による電子レンズを用いたマスクレス描画装置の１本のコラム（電子光学鏡筒とも呼ぶ）を説明し、さらにマルチコラムについて説明をする。
【００４４】
電子銃（２０１）から電子ビームが射出される。第１の電子レンズ（２０２）を通して一旦収束させる。これはいたずらにコラム全体の長さを長くせずに電子銃の均一照射を得るためである。なお、電子レンズ（２０２）は記号的に楕円で表示してあるが、基本的な構造は、図２に示したと同様な電子レンズで、外径は３０ｍｍ以下である。以下で、電子レンズ（２０３）、（２０５）、（２０９）、（２１０）についても全く同様である。
【００４５】
電子銃（２０１）のクロスオーバーを一旦形成した後、電子ビームはＰＳＡ（プログラマブルシェーピングアパーチャー）ユニットを用いたマルチビーム形成部（２１１）に入射する。マルチビーム形成部（２１１）では、電子ビームは広がりながら電子レンズ（２０３）に入射して平行ビームになる。そして、ＰＳＡ（２０４）に入って、マルチビーム化される。この詳細は図４で説明する。マルチビーム化した電子ビームは、電子レンズ（２０５）に入射してラウンドアパーチャー板（２０８）の中心の丸孔に収束される。
【００４６】
そして、マルチビームを半導体のウェハ（１０９）上に照射しないときには、ビームブランキング電極（２０６）でビームを図において点線で示すように曲げてアパーチャー板上にあてて、それより下部に電子ビームが出ないように遮断する。ビームブランキング電極（２０６）に電圧を印加しない場合、電子ビームは実線のように直進し、アパーチャー板（２０８）上の丸孔を通過して、電子レンズ（２０９）でＰＳＡ（２０４）の縮小像が形成され、電子レンズ（２１０）で半導体のウェハ（１０９）上の１点に収束し、ウェハ上のレジスト層に照射され、レジストを感光させる。ここですべてのコラム部品は直径３０ｍｍ以下に製作されている。
【００４７】
１本のコラムが３０ｍｍ以下のコラムを半導体のウェハ（１０９）上に数十本敷き詰めてマルチコラムシステム（１３０）を形成する。
【００４８】
電子銃（２０１）は、コラムの本数分あり、本実施形態では各コラムが５段のレンズを有している。すべての電子ビームは平行している。電子ビームが出射する方向をＺ軸として、Ｚ軸と直交する軸をＸ軸、Ｙ軸とする。マルチコラムシステムはＸ軸方向にはコラム軸間距離がＰｘ（例：２７ｍｍ）の距離で平行して設置され、Ｙ軸方向にはコラム軸間距離がＰｙ（例：３３ｍｍ）の距離で平行して設置されている。１本のコラムが２７ｍｍの外径を持つ時、３００ｍｍφのウェハ（１０９）には９０本のマルチコラムが形成できる。
【００４９】
この場合に、ウェハ（１０９）を搭載するステージはＹ方向へ直線移動し、Ｘ幅５０μｍで長さが３３ｍｍのフレームを描画していく。隣接するコラムですでに描画し終わった部分に到達したら、Ｘ軸方向に５０μｍステップ移動し、再度Ｘ幅５０μｍで長さが３３ｍｍのフレームを逆方向に描画していく。以上の動作を繰り返し、３３ｍｍ×２７ｍｍの領域が描画し終わったら、９０本のマルチコラムによって、ウェハ（１０９）全面が描画完了する。
【００５０】
図４は、同様のマルチコラムシステムを真上から見た図である。この場合は３００ｍｍφの半導体ウェハ（１０９）の上に１１２本のコラム（１３１）が設置されている。
【００５１】
図５は、１本のコラムでマルチビームを形成できることを説明した図である。図５の左半分は、図３の左図と同じく、５段の永久磁石を使用した電子レンズを使ったコラムを示している。さらに右の図では電子ビームがＰＳＡ（２０４）を用いたマルチビーム形成部（２１１）に入射して、マルチビーム化する様子を詳細に示している。
【００５２】
マルチビーム形成部（２１１）では、一旦クロスオーバーが結像されてＰＳＡを均一照射する電子ビーム（２１６）として放射される。第２レンズ（２０３）によって、電子ビームは平行になる。そして矩形孔が等間隔で並んでいるステンシルマスク（２１２）を照射する。ステンシルマスクの矩形孔を通過した電子のみがそれより下部に到達できる。ステンシルマスクの矩形孔以外にあったビームは散乱・反射されてステンシルマスクより下部には出てこられない。これによってマルチビームが形成できる。
【００５３】
矩形孔が等間隔で並んでいるステンシルマスク（２１２）の各矩形孔を通過した電子ビームは、各小ビームを個別にブランキングする個別ブランカ電極（２１３）によって、直進するか、偏向して曲げられるかのいずれかの動作を行う。
【００５４】
直進する実線の電子ビーム（２１７）は第３レンズ（２０５）によって、ラウンドアパーチャーの丸い穴（２１９）をめがけて収束する。そして丸い穴を通過してさらに下部に進み、ウェハ（１０９）上のレジストを感光させる。
【００５５】
個別ブランカ電極（２１３）によって偏向して曲げられたビームは破線で示された、遮断ビーム（２１８）となって、アパーチャーの穴（２１９）を通過することができず、レジスト層を感光させることはない。このように個別ブランカ電極（２１３）はマルチビームに分割された個々のビームをＯＮ／ＯＦＦ制御できる。
【００５６】
従って、多数のビームの内一部のビームを消すことができ、全体のマルチビームの形状を変化できるので、ＰＳＡ（プログラマブルシェーピングアパーチャー）と呼ぶ。配線基板（２１５）は個別ブランカ電極（２１３）を支持すると同時に各個別電極へ電位を伝達すべく、配線が製作されている。
【００５７】
以上、実施形態に係る電子レンズおよびこれを用いたマルチコラム描画装置について説明したが、図１の従来例について若干説明をする。
【００５８】
永久磁石は円筒状のリング（１）であり、ビーム軸とレンズ中心軸は一致しており、磁化はその方向に磁化されている。２は強磁性体（純鉄・鉄）などのポールピースである。同じくポールピース（３）が下部に設置されている。ポールピースのギャップ（１００）が半導体ウェハ（８）の側を向いていることが本発明とは異なる。非磁性体（６，７）によって構造が支持されている。
【００５９】
強磁性体の磁気回路が設置されている。５は位置を精密に設定するための押しネジである。磁気回路のギャップ（９）によって、強磁性体全体の磁気飽和が避けられて、ポールピースギャップ（１００）に磁界が出てきている。
【００６０】
本発明者らの計算によれば、磁気回路のギャップ（９）が無ければ、永久磁石の磁力線は強磁性体の中で磁界飽和を起こし、中心軸にはごくわずかの磁界しか出てこない。本来は、上部にもギャップが必要である。この従来例では、超高速のマルチコラムができるような細いコラムは実現ができない。また中心にできる磁界は弱いので、強度が強く大電流の収束が可能なレンズは実現できない。
【００６１】
本実施形態により、直径３０ｍｍ以下の低電力の電子光学鏡筒が可能となり１時間２０枚以上の高処理能力の電子ビーム描画装置が形成できる。また、描画装置の低電力化が可能となる。
【００６２】
本実施形態によって、第１に細くてかつ４０ｃｍ以下の短いコラムができる。直径が３０ｍｍ以下で３００ｍｍの半導体のウェハ（１０９）上に９０本以上のマルチコラムが形成できる。第２に、大電流をマルチビームとして形成できるような、短焦点の強磁界が永久磁石リングでできるので電子ビーム描画装置の高速化が一気に進めることができる。第３に磁界強度補正用コイルを効率的に設置することができて、低消費電力化ができる。実際の実験を行って永久磁石の目標値の２％以下の値を実現したために、電磁コイルの発熱は全部を電磁石で形成する場合に比較して０．０４％の発熱にできた。
【００６３】
第４に永久磁石の表面磁界の不均一性は中心軸の周りで４％くらいの均一性しかなかったが、本発明によって、強磁性体のギャップによって不均一性が円滑化されるので、中心軸から１ｍｍの距離の位置で計測したＺ軸方向の磁界の不均一性は、磁石レンズを３６０度回転してみたところ、１％以下の均一性が得られた。この精度で微小な非点収差補正電磁コイルを用いることでレンズは完全な軸対称レンズを実現できる。
【００６４】
第５に、補正電磁コイル（１１２）による磁界と、永久磁石リング（１０１）による、中心軸上磁界は、同一のギャップ（１０６）によって形成されるので、永久磁石リング（１０１）の磁界と補正電磁コイル（１１２）との磁界は一致して、１つの軸でのレンズ強度のみを変化できる。独立した軸ずれや収差は発生しない。
【００６５】
第６に強磁性体磁気回路内のギャップ（１０８）と（１０７）を最適化することで電子ビーム（１１０）に対する磁界レンズとして効くギャップ（１０６）のレンズ磁界（１１１）の強度を最高値にできるために、高効率の低収差電子レンズが実現できる。
【００６６】
第７にすべてのマルチコラムで矩形アパーチャとビーム像が回転・倍率・焦点変化がおきる可能性があるが、多段レンズと補正電磁コイルを用いて、これらのすべての補正を同時に遂行できる。
【００６７】
第８に隣接するレンズ磁界が調整時に干渉しないために複数のコラムの調整が容易である。
【００６８】
以上述べたように、本実施形態によって得られる効果は、マルチビーム・マルチコラムの最適実現化への重要な発明としての役割を果たすものである。
【００６９】
コラムシステムの冷却と恒温化については、低消費電力化されているので、金属部を伝わって熱伝導冷却をおこなう。マルチコラムを構成するための構造体部品を、密閉した気体または水蒸気を用いた電熱冷却および、液体を用いた冷却、水冷が好適である。
【００７０】
各部分の寸法についてはシミュレーションの範囲で適切な値を上げたが、多少範囲を逸脱する場合もあり、これに限定されるものではない。
【符号の説明】
【００７１】
１０１  永久磁石リング、１０２，１０３  強磁性体円筒、１０４，１０５  強磁性体円板、１０６，１０７，１０８  ギャップ、１０９  ウェハ、１１０  電子ビーム、１１１  レンズ磁界、１１２  補正電磁コイル、１１４，１１５  強磁性体ギャップ調整リング。
【図１】
0006544567.tif 000002
【図２】
0006544567.tif 000003
【図３】
0006544567.tif 000004
【図４】
0006544567.tif 000005
【図５】
0006544567.tif 000006